(57)【特許請求の範囲】
【請求項１】
通信を介して連勝式投票券を購入する連勝式投票端末であって、
前記連勝式投票券の買い目を組成する番号を、第１の投票選択エリアと第２の投票選択エリアとから入力する入力手段と、
前記入力手段により前記第１の投票選択エリアに選択入力された第１の番号と、前記第２の投票選択エリアに選択入力された第２の番号と、を比較する比較手段と、
前記第１の番号と前記第２の番号とのいずれかをクリアする入力解除手段と、
前記第１の番号と前記第２の番号との組番号を前記買い目に設定する買い目設定手段と、を有し、
前記入力解除手段は、投票したい番号選択後における前記比較手段による比較の結果、前記第１の番号と前記第２の番号とが一致するとき、該一致する番号の内、直近に入力された番号を維持し、先に入力された番号をクリアして、前記選択の裏目選択の操作性を向上させることを特徴とする連勝式投票端末。
【請求項２】
通信を介して連勝式投票券を購入する連勝式投票端末であって、
前記連勝式投票券の買い目を組成する番号を、第１の投票選択エリアと第２の投票選択エリアと第３の投票エリアとから入力する入力手段と、
前記入力手段により前記第１の投票選択エリアに選択入力された第１の番号と、前記第２の投票選択エリアに選択入力された第２の番号と、前記第３の投票選択エリアに選択入力された第３の番号とを比較する比較手段と、
前記第１の番号、前記第２の番号、および前記第３の番号のいずれか１つをクリアする入力解除手段と、
前記第１の番号と前記第２の番号と前記第３の番号との組番号を前記買い目に設定する買い目設定手段と、を有し、
前記入力解除手段は、投票したい番号選択後における前記比較手段による比較の結果、前記第１の番号、前記第２の番号、および前記第３の番号の内、一致する番号があるとき、該一致する番号の内、直近に入力された番号を維持し、先に入力された番号をクリアして、前記選択の裏目選択の操作性を向上させることを特徴とする連勝式投票端末。
【請求項３】
前記入力手段により入力された番号が、単枠に係る番号であるか、複枠に係る番号であるかを判断する単枠複枠判断手段をさらに有し、
前記買い目設定手段は、前記単枠複枠判断手段による判断の結果、前記入力された番号が前記複枠に係る番号であるとき、前記比較手段による比較をせずに、前記入力された番号を前記組番号に設定することを特徴とする請求項１または２記載の連勝式投票端末。
【請求項４】
通信を介して連勝式投票券を購入する連勝式投票端末を用いた連勝式投票券の投票選択エリアから選択入力して所望の買い目に投票する連勝式投票方法であって、
前記連勝式投票端末の入力手段を介して第１の投票選択エリアから前記買い目を組成する第１の番号を選択入力される第１の入力工程と、
前記連勝式投票端末の入力手段を介して第２の投票選択エリアから前記買い目を組成する第２の番号を選択入力される第２の入力工程と、
前記連勝式投票端末の比較手段により前記第１の入力工程により入力された第１の番号と、前記第２の入力工程により入力された第２の番号とが比較される比較工程と、
前記比較工程において、投票したい番号の選択後における前記比較工程による比較の結果、前記第１の番号と前記第２の番号とが一致するとき、該一致する番号の内、直近に入力された番号を維持し、先に入力された番号がクリアされて、前記選択の裏目選択の操作性を向上させる入力解除工程と、
前記比較工程による比較の結果、前記第１の番号と前記第２の番号とが不一致となったとき、前記第１の番号と前記第２の番号との組番号を前記買い目に設定する買い目設定工程と、を有し、
前記第１の入力工程は、前記入力解除工程により前記第１の番号がクリアされたとき、前記第１の番号が前記連勝式投票端末の入力手段を介して再入力され、
前記第２の入力工程は、前記入力解除工程により前記第２の番号がクリアされたとき、前記第２の番号が前記連勝式投票端末の入力手段を介して再入力されることを特徴とする連勝式投票方法。
【請求項５】
前記第１、および第２の入力工程により入力された番号が、単枠に係る番号であるか、複枠に係る番号であるかを判断する単枠複枠判断工程をさらに有し、
前記買い目設定工程は、前記連勝式投票端末の買い目設定手段を介して前記単枠複枠判断工程による判断の結果、前記入力された番号が前記複枠に係る番号であるとき、前記比較工程による比較をせずに、前記第１の番号と前記第２の番号との組番号が前記買い目に設定されることを特徴とする請求項４記載の連勝式投票方法。
【請求項６】
通信を介して連勝式投票券を購入する連勝式投票端末を用いた連勝式投票券の投票選択エリアから選択入力して所望の買い目に投票する連勝式投票方法であって、
第１の投票選択エリアから前記買い目を組成する第１の番号が前記連勝式投票端末の入力手段を介して選択入力される第１の入力工程と、
第２の投票選択エリアから前記買い目を組成する第２の番号が前記連勝式投票端末の入力手段を介して選択入力される第２の入力工程と、
第３の投票選択エリアから前記買い目を組成する第３の番号が前記連勝式投票端末の入力手段を介して選択入力される第３の入力工程と、
前記第１の入力工程により入力された第１の番号と、前記第２の入力工程により入力された第２の番号と、前記第３の入力工程により入力された第３の番号とが前記連勝式投票端末の比較手段を介して比較される比較工程と、
前記比較工程において、投票したい番号の選択後において前記比較工程による比較の結果、前記第１の番号、前記第２の番号、および前記第３の番号の内、一致する番号があるとき、該一致する番号の内、直近に入力された番号を維持し、先に入力された番号がクリアされて、前記選択の裏目選択の操作性を向上させる入力解除工程と、
前記比較工程による比較の結果、前記第１の番号、前記第２の番号、および前記第３の番号のすべてが不一致となったとき、前記第１の番号と前記第２の番号と前記第３の番号との組番号が前記連勝式投票端末の買い目設定手段を介して前記買い目に設定される買い目設定工程と、を有し、
前記第１の入力工程は、前記入力解除工程により前記第１の番号がクリアされたとき、前記連勝式投票端末の入力手段を介して前記第１の番号が再入力され、
前記第２の入力工程は、前記入力解除工程により前記第２の番号がクリアされたとき、前記連勝式投票端末の入力手段を介して前記第２の番号が再入力され、
前記第３の入力工程は、前記入力解除工程により前記第３の番号がクリアされたとき、前記連勝式投票端末の入力手段を介して前記第３の番号が再入力されることを特徴とする連勝式投票方法。
【請求項７】
前記第１、第２、および第３の入力工程により入力された番号が、単枠に係る番号であるか、複枠に係る番号であるかを判断する単枠複枠判断工程をさらに有し、
前記買い目設定工程は、前記単枠複枠判断工程による判断の結果、前記入力された番号が前記複枠に係る番号であるとき、前記比較工程による比較をせずに、前記第１の番号と前記第２の番号と前記第３の番号との組番号が前記買い目に設定されることを特徴とする請求項６記載の連勝式投票方法。
【請求項８】
連勝式投票券の買い目入力を支援する連勝式投票プログラムであって、
第１の投票選択エリアから選択入力された前記買い目を組成する第１の番号と、第２の投票選択エリアから選択入力された前記買い目を組成する第２の番号と、を比較する比較処理と、
前記比較処理において、投票したい番号の選択後において前記比較処理による比較の結果、前記第１の番号と前記第２の番号とが一致するとき、該一致する番号の内、直近に入力された番号を維持し、先に入力された番号をクリアして、前記選択の裏目選択の操作性を向上させる入力解除処理と、
前記比較処理による比較の結果、前記第１の番号と前記第２の番号とが不一致となったとき、前記第１の番号と前記第２の番号との組番号を前記買い目に設定する買い目設定処理と、
をコンピュータに実行させることを特徴とする連勝式投票プログラム。
【請求項９】
前記第１の番号、および前記第２の番号が、単枠に係る番号であるか、複枠に係る番号であるかを判断する単枠複枠判断処理をさらにコンピュータに実行させ、
前記買い目設定処理は、前記単枠複枠判断処理による判断の結果、前記入力された番号が前記複枠に係る番号であるとき、前記比較処理による比較をせずに、前記第１の番号と前記第２の番号との組番号を前記買い目に設定することを特徴とする請求項８記載の連勝式投票プログラム。
【請求項１０】
連勝式投票券の買い目入力を支援する連勝式投票プログラムであって、
第１の投票選択エリアから選択入力された前記買い目を組成する第１の番号と、第２の投票選択エリアから選択入力された前記買い目を組成する第２の番号と、第３の投票選択エリアから選択入力された前記買い目を組成する第３の番号と、を比較する比較処理と、
前記比較処理において、投票したい番号の選択後において前記比較処理による比較の結果、前記第１の番号、前記第２の番号、および前記第３の番号の内、一致する番号があるとき、該一致する番号の内、直近に入力された番号を維持し、先に入力された番号をクリアして、前記選択の裏目選択の操作性を向上させる入力解除処理と、
前記比較処理による比較の結果、前記第１の番号、前記第２の番号、および前記第３の番号のすべてが不一致となったとき、前記第１の番号と前記第２の番号と前記第３の番号との組番号を前記買い目に設定する買い目設定処理と、
をコンピュータに実行させることを特徴とする連勝式投票プログラム。
【請求項１１】
前記第１の番号、前記第２の番号、および前記第３の番号が、単枠に係る番号であるか、複枠に係る番号であるかを判断する単枠複枠判断処理をさらにコンピュータに実行させ、
前記買い目設定処理は、前記単枠複枠判断処理による判断の結果、前記入力された番号が前記複枠に係る番号であるとき、前記比較処理による比較をせずに、前記第１の番号と前記第２の番号と前記第３の番号との組番号を前記買い目に設定することを特徴とする請求項１０記載の連勝式投票プログラム。
【発明の詳細な説明】
【０００１】
【発明の属する技術分野】
本発明は、インターネットホームページ上で公営競技の投票券（勝馬投票券、勝舟投票券、勝者投票券など）の裏目購入をスムーズに行えるようにする連勝式投票端末、連勝式投票方法、およびそのプログラムに関する。
【０００２】
【従来の技術】
近年、公営ギャンブル（競馬、競輪、競艇、およびオートレース）のネットワークを介したオンライン投票が普及してきている。このオンライン投票のユーザは、レース場に足を運ばなくとも、レースに参加することができることになり、例えば、関東在住のユーザも関西のレースに投票（投票券の購入）することができる。
【０００３】
現在、日本の公営ギャンブルは、配当の妙味から連勝単式が主流となっている。ここで、連勝単式とは、上位２以上の入着選手（入着馬）を着順通りに当てる方式である。例えば、勝式が２連勝単式のときに、１着に２号艇、２着に４号艇を選んだ場合、レース結果が１着：２号艇、２着：４号艇であった場合のみ的中となり、１着：４号艇、２着：２号艇の場合は的中にならない。連勝複式の場合は、入着順を問わないためどちらも的中となる。
【０００４】
図９を参照すると、投票フォームに記入したあとでもレース番号１０や投票選択エリア３０の選択が消えないようになっている。この方式は、投票毎に買い目がリセットすることを排し、購入者が投票するときの操作性を向上させるために考えられたものである。この方式により、例えば「４−１−５」を投票フォームに記入したあとに「４−１−６」を投票フォームに記入しようとした場合に、投票選択エリア３０の”５”を”６”に変更するだけでよいという利点がある。即ち、流し買いをする場合は対抗選手を変更するだけでよいことになる。
【０００５】
また、上記方式は、単枠（枠の中に選手が一人または馬が一頭の枠）に関してはゾロ目（１−１、２−２等）がないため、同じ番号を他の投票選択エリアで選択できないようにしていた。
【０００６】
【発明が解決しようとする課題】
しかしながら、上記方式は、他の投票選択エリアで選ばれている番号を選択できないようにしているため、裏目を購入する場合の操作性が悪かった。
【０００７】
ここで、裏目購入とは、例えば舟券投票時に連勝単式で１着：２号艇、２着：４号艇の勝艇投票券を選んだとすると、１着：４号艇、２着：２号艇の勝艇投票券を購入することである。
【０００８】
図１３、図１４は、上記方式において裏目購入する場合の手順を説明するための図である。図１３において、購入者が「２−４−６」の勝艇投票券を購入した後に、その裏目にあたる「４−２−６」を購入する場合、投票選択エリア１を”２”から”４”に変更する必要がある。しかしながら、投票選択エリア２に”４”があるため、ゾロ目防止機能の付いた従来の方式では、投票選択エリア１を無条件に”２”から”４”に変更することができない。
【０００９】
したがって、購入者は、投票選択エリア２の”４”を他の数（１、３、５、６）に変更してから、投票選択エリア１を”２”から”４”に変更しなければならない。これは、購入者の買い目と関係ない数字に変更するという迂回をしなければ、次の買い目を選択できないことを意味し、多点買いにおいて１点毎に数字を全部入力する手間を省いた上記方式の利点を没却する結果となっていた。
【００１０】
本発明は、上記問題点に鑑みなされたものであり、他の投票選択エリアで同じ番号のラジオボックスが選択された場合には自投票選択エリアの同じ番号のラジオボックスの選択をクリアし、投票フォームに直近の選択を残す利点をなくすことなく、裏目購入の操作性を向上する連勝式投票端末、連勝式投票方法、およびそのプログラムを提供することを目的とする。
【００１１】
【課題を解決するための手段】
かかる目的を達成するために、請求項１記載の発明は、通信を介して連勝式投票券を購入する連勝式投票端末であって、連勝式投票券の買い目を組成する番号を、第１の投票選択エリアと第２の投票選択エリアとから入力する入力手段と、入力手段により第１の投票選択エリアに選択入力された第１の番号と、第２の投票選択エリアに選択入力された第２の番号と、を比較する比較手段と、第１の番号と第２の番号とのいずれかをクリアする入力解除手段と、第１の番号と第２の番号との組番号を買い目に設定する買い目設定手段と、を有し、入力解除手段は、投票したい番号選択後における比較手段による比較の結果、第１の番号と第２の番号とが一致するとき、一致する番号の内、直近に入力された番号を維持し、先に入力された番号をクリアして、前記選択の裏目選択の操作性を向上させることを特徴としている。
【００１２】
請求項２記載の発明は、通信を介して連勝式投票券を購入する連勝式投票端末であって、連勝式投票券の買い目を組成する番号を、第１の投票選択エリアと第２の投票選択エリアと第３の投票エリアとから入力する入力手段と、入力手段により第１の投票選択エリアに選択入力された第１の番号と、第２の投票選択エリアに選択入力された第２の番号と、第３の投票選択エリアに選択入力された第３の番号とを比較する比較手段と、第１の番号、第２の番号、および第３の番号のいずれか１つをクリアする入力解除手段と、第１の番号と第２の番号と第３の番号との組番号を買い目に設定する買い目設定手段と、を有し、入力解除手段は、投票したい番号選択後における比較手段による比較の結果、第１の番号、第２の番号、および第３の番号の内、一致する番号があるとき、一致する番号の内、直近に入力された番号を維持し、先に入力された番号をクリアして、前記選択の裏目選択の操作性を向上させることを特徴としている。
【００１３】
請求項３記載の発明は、請求項１または２記載の発明において、入力手段により入力された番号が、単枠に係る番号であるか、複枠に係る番号であるかを判断する単枠複枠判断手段をさらに有し、買い目設定手段は、単枠複枠判断手段による判断の結果、入力された番号が複枠に係る番号であるとき、比較手段による比較をせずに、入力された番号を組番号に設定することを特徴としている。
【００１４】
請求項４記載の発明は、通信を介して連勝式投票券を購入する連勝式投票端末を用いた連勝式投票券の投票選択エリアから選択入力して所望の買い目に投票する連勝式投票方法であって、前記連勝式投票端末の入力手段を介して第１の投票選択エリアから前記買い目を組成する第１の番号を選択入力される第１の入力工程と、前記連勝式投票端末の入力手段を介して第２の投票選択エリアから前記買い目を組成する第２の番号を選択入力される第２の入力工程と、前記連勝式投票端末の比較手段により前記第１の入力工程により入力された第１の番号と、前記第２の入力工程により入力された第２の番号とが比較される比較工程と、前記比較工程において、投票したい番号の選択後において前記比較工程による比較の結果、前記第１の番号と前記第２の番号とが一致するとき、該一致する番号の内、直近に入力された番号を維持し、先に入力された番号がクリアされて、前記選択の裏目選択の操作性を向上させる入力解除工程と、前記比較工程による比較の結果、前記第１の番号と前記第２の番号とが不一致となったとき、前記第１の番号と前記第２の番号との組番号が前記買い目に設定される買い目設定工程と、を有し、前記第１の入力工程は、前記入力解除工程により前記第１の番号がクリアされたとき、前記第１の番号が前記連勝式投票端末の入力手段を介して再入力され、前記第２の入力工程は、前記入力解除工程により前記第２の番号がクリアされたとき、前記第２の番号が前記連勝式投票端末の入力手段を介して再入力されることを特徴としている。
【００１５】
請求項５記載の発明は、請求項４記載の発明において、第１、および第２の入力工程により入力された番号が、単枠に係る番号であるか、複枠に係る番号であるかを判断する単枠複枠判断工程をさらに有し、連勝式投票端末の買い目設定手段を介して単枠複枠判断工程による判断の結果、入力された番号が複枠に係る番号であるとき、比較工程による比較をせずに、第１の番号と第２の番号との組番号が買い目に設定されることを特徴としている。
【００１６】
請求項６記載の発明は、通信を介して連勝式投票券を購入する連勝式投票端末を用いた連勝式投票券の投票選択エリアから選択入力して所望の買い目に投票する連勝式投票方法であって、第１の投票選択エリアから前記買い目を組成する第１の番号が前記連勝式投票端末の入力手段を介して選択入力される第１の入力工程と、第２の投票選択エリアから前記買い目を組成する第２の番号が前記連勝式投票端末の入力手段を介して選択入力される第２の入力工程と、第３の投票選択エリアから前記買い目を組成する第３の番号が前記連勝式投票端末の入力手段を介して選択入力される第３の入力工程と、前記第１の入力工程により入力された第１の番号と、前記第２の入力工程により入力された第２の番号と、前記第３の入力工程により入力された第３の番号とが前記連勝式投票端末の比較手段を介して比較される比較工程と、前記比較工程において、投票したい番号の選択後において前記比較工程による比較の結果、前記第１の番号、前記第２の番号、および前記第３の番号の内、一致する番号があるとき、該一致する番号の内、直近に入力された番号を維持し、先に入力された番号がクリアされて、前記選択の裏目選択の操作性を向上させる入力解除工程と、前記比較工程による比較の結果、前記第１の番号、前記第２の番号、および前記第３の番号のすべてが不一致となったとき、前記第１の番号と前記第２の番号と前記第３の番号との組番号が前記連勝式投票端末の買い目設定手段を介して前記買い目に設定される買い目設定工程と、を有し、前記第１の入力工程は、前記入力解除工程により前記第１の番号がクリアされたとき、前記連勝式投票端末の入力手段を介して前記第１の番号が再入力され、前記第２の入力工程は、前記入力解除工程により前記第２の番号がクリアされたとき、前記連勝式投票端末の入力手段を介して前記第２の番号が再入力され、前記第３の入力工程は、前記入力解除工程により前記第３の番号がクリアされたとき、前記連勝式投票端末の入力手段を介して前記第３の番号が再入力されることを特徴としている。
【００１７】
請求項７記載の発明は、請求項６記載の発明において、第１、第２、および第３の入力工程により入力された番号が、単枠に係る番号であるか、複枠に係る番号であるかを判断する単枠複枠判断工程をさらに有し、買い目設定工程は、単枠複枠判断工程による判断の結果、入力された番号が複枠に係る番号であるとき、比較工程による比較をせずに、第１の番号と第２の番号と第３の番号との組番号が買い目に設定されることを特徴としている。
【００１８】
請求項８記載の発明は、連勝式投票券の買い目入力を支援する連勝式投票プログラムであって、第１の投票選択エリアから選択入力された買い目を組成する第１の番号と、第２の投票選択エリアから選択入力された買い目を組成する第２の番号と、を比較する比較処理と、前記比較処理において、投票したい番号の選択後において前記比較処理による比較の結果、第１の番号と第２の番号とが一致するとき、一致する番号の内、直近に入力された番号を維持し、先に入力された番号をクリアして、前記選択の裏目選択の操作性を向上させる入力解除処理と、比較処理による比較の結果、第１の番号と第２の番号とが不一致となったとき、第１の番号と第２の番号との組番号を買い目に設定する買い目設定処理と、をコンピュータに実行させることを特徴としている。
【００１９】
請求項９記載の発明は、請求項８記載の発明において、第１の番号、および第の２番号が、単枠に係る番号であるか、複枠に係る番号であるかを判断する単枠複枠判断処理をさらにコンピュータに実行させ、買い目設定処理は、単枠複枠判断処理による判断の結果、入力された番号が複枠に係る番号であるとき、比較処理による比較をせずに、第１の番号と第２の番号との組番号を買い目に設定することを特徴としている。
【００２０】
請求項１０記載の発明は、連勝式投票券の買い目入力を支援する連勝式投票プログラムであって、第１の投票選択エリアから選択入力された買い目を組成する第１の番号と、第２の投票選択エリアから選択入力された買い目を組成する第２の番号と、第３の投票選択エリアから選択入力された買い目を組成する第３の番号と、を比較する比較処理と、前記比較処理において、投票したい番号の選択後において前記比較処理による比較の結果、第１の番号、第２の番号、および第３の番号の内、一致する番号があるとき、一致する番号の内、直近に入力された番号を維持し、先に入力された番号をクリアして、前記選択の裏目選択の操作性を向上させる入力解除処理と、比較処理による比較の結果、第１の番号、第２の番号、および第３の番号のすべてが不一致となったとき、第１の番号と第２の番号と第３の番号との組番号を買い目に設定する買い目設定処理と、をコンピュータに実行させることを特徴としている。
【００２１】
請求項１１記載の発明は、請求項１０記載の発明において、第１の番号、第２の番号、および第３の番号が、単枠に係る番号であるか、複枠に係る番号であるかを判断する単枠複枠判断処理をさらにコンピュータに実行させ、買い目設定処理は、単枠複枠判断処理による判断の結果、入力された番号が複枠に係る番号であるとき、比較処理による比較をせずに、第１の番号と第２の番号と第３の番号との組番号を買い目に設定することを特徴としている。
【００２２】
【発明の実施の形態】
以下、本発明の実施の形態を添付図面を参照しながら詳細に説明する。
【００２３】
図１は、本発明の実施の形態に係る連勝式投票端末、連勝式投票方法、およびそのプログラムに適用される投票システムの構成を示すブロック図である。本投票システムは、投票サーバ３００にインターネット２００を介して複数の投票端末（連勝式投票装置）１００〜ｎが接続される。
【００２４】
投票端末１００〜ｎは、インターネット２００に接続可能な情報通信端末である。例えば、ＰＣ、携帯電話、ＰＨＳ、ＰＤＡ、固定電話等が適用可能である。インターネット２００は、他のネットワークでもよく、例えば、専用回線等でもよい。投票サーバ３００は、大容量の記憶装置（ＨＤＤ等）、メモリを備えた情報処理装置である。
【００２５】
次に、本発明の第１の実施の形態について説明する。図２は、第１の実施の形態における連勝式投票方法を説明するためのフローチャートである。図２は、２連勝単式で、ゾロ目のない場合である。６枠制、８枠制を問わず適用できる。
【００２６】
まず、システムは、買い目変数であるＸ、Ｙを初期化する（ステップＳ１０）。購入者は、１着の買い目変数であるＸに任意の番号を入力する（ステップＳ１１）。システムは、変数Ｙが０であるか否かを判断する（ステップＳ１２）。
【００２７】
最初は、Ｙの値が初期化され０であるから（ステップＳ１２／Ｙ）、購入者は、２着の買い目変数であるＹに任意の番号を入力する（ステップＳ１３）。
【００２８】
次に、システムは、ＸとＹとの値が同じか否かを判断する（ステップＳ１４）。同じでない場合は（ステップＳ１４／Ｎ）、瑕疵のない買い目であるから投票可能状態に遷移する。
【００２９】
ステップＳ１４において、ＸとＹとの値が同じ場合は（ステップＳ１４／Ｙ）、後に入力されたＹの値を残し、先に入力されたＸの値をクリアする（ステップＳ１５）。購入者は、再度Ｘに番号を入力する（ステップＳ１１）。
【００３０】
次に、システムは、変数Ｙが０であるか否かを判断する（ステップＳ１２）。Ｘの再入力があった場合は、常にＹに買い目（０以外の番号）が入力されている状態なので（ステップＳ１２／Ｎ）、Ｙへの入力を待たずにＸとＹとの値が同じか否かを判断する（ステップＳ１６）。同じでない場合は（ステップＳ１６／Ｎ）、瑕疵のない買い目であるから投票可能状態に遷移する。
【００３１】
ステップＳ１６において、ＸとＹとの値が同じ場合は（ステップＳ１６／Ｙ）、直近に入力されたＸの値を残し、先に入力されたＹの値をクリアする（ステップＳ１７）。購入者は、再度Ｙに番号を入力する（ステップＳ１３）。
【００３２】
以下、上記したステップＳ１４以降の処理を繰り返す。ＸとＹとの値が異なる値となったとき（ステップＳ１４／ＮまたはステップＳ１６／Ｎ）、投票可能状態となる。
【００３３】
本実施の形態によれば、１つの買い目を投票する度に、両方（Ｘ、Ｙ）の入力がクリアされないという利便性を享受しながら、ゾロ目による投票ミスを防ぐことができる。
【００３４】
次に、本発明の第２の実施の形態について説明する。図３は、第２の実施の形態における連勝式投票方法を説明するためのフローチャートである。図３は、２連勝単式で、単枠と複枠とが混在する場合の例である。６枠制、８枠制を問わず適用できる。例えば、競輪は９車立て６枠方式を採用している。この場合、４〜６枠には２車づつ入っており、１〜３枠は単枠、４〜６枠は複枠となる。また、競馬は、最大１つの枠に３頭入る場合がある。
【００３５】
まず、システムは、買い目変数であるＸ、Ｙを初期化する（ステップＳ２０）。購入者は、１着の買い目変数であるＸに任意の番号を入力する（ステップＳ２１）。システムは、変数Ｙが０であるか否かを判断する（ステップＳ２２）。
【００３６】
最初は、Ｙの値が初期化され０であるから（ステップＳ２２／Ｙ）、購入者は、２着の買い目変数であるＹに任意の番号を入力する（ステップＳ２３）。
【００３７】
次に、本実施の形態では、Ｙに入力された番号が単枠であるか複枠であるかを判断する（ステップＳ２４）。複枠の場合は（ステップＳ２４／Ｎ）、ゾロ目も有効な買い目となるため、投票可能状態に遷移する。
【００３８】
ステップＳ２４において、単枠の場合は（ステップＳ２４／Ｙ）、ＸとＹとの値が同じか否かを判断する（ステップＳ２５）。同じでない場合は（ステップＳ２５／Ｎ）、瑕疵のない買い目であるから投票可能状態に遷移する。
【００３９】
ステップＳ２５において、ＸとＹとの値が同じ場合は（ステップＳ２５／Ｙ）、後に入力されたＹの値を残し、先に入力されたＸの値をクリアする（ステップＳ２６）。購入者は、再度Ｘに番号を入力する（ステップＳ２１）。
【００４０】
次に、システムは、変数Ｙが０であるか否かを判断する（ステップＳ２２）。Ｘの再入力があった場合は、常にＹに買い目（０以外の番号）が入力されている状態なので（ステップＳ２２／Ｎ）、Ｙへの入力を待たずに、Ｘに入力された番号が単枠であるか複枠であるかを判断する（ステップＳ２７）。複枠の場合は（ステップＳ２７／Ｎ）、ゾロ目も有効な買い目となるため、投票可能状態に遷移する。
【００４１】
ステップＳ２７において、単枠の場合は（ステップＳ２７／Ｙ）、ＸとＹとの値が同じか否かを判断する（ステップＳ２８）。同じでない場合は（ステップＳ２８／Ｎ）、瑕疵のない買い目であるから投票可能状態に遷移する。
【００４２】
ステップＳ２８において、ＸとＹとの値が同じ場合は（ステップＳ２８／Ｙ）、直近に入力されたＸの値を残し、先に入力されたＹの値をクリアする（ステップＳ２９）。購入者は、再度Ｙに番号を入力する（ステップＳ２３）。
【００４３】
以下、上記したステップＳ２４以降の処理を繰り返す。直近に入力された番号が複枠の番号である場合（ステップＳ２４／ＮまたはステップＳ２７／Ｎ）、またはＸとＹとの値が異なる値となったとき（ステップＳ２５／ＮまたはステップＳ２８／Ｎ）、投票可能状態となる。
【００４４】
本実施の形態によれば、１つの買い目を投票する度に、両方（Ｘ、Ｙ）の入力がクリアされないという利便性を享受しながら、単枠のゾロ目投票による投票ミスを防ぐことができる。例えば、上述した競輪の例によると、１−１、２−２、３−３の投票を防止し、４−４、５−５、６−６の投票を有効とすることが可能である。
【００４５】
以下、本発明に係る実施例を競艇を例にして具体的に詳説する。図４〜図８は、本発明の実施例に係る入力画面一例を示す図である。競艇は、通常１レースに６艇が出場し、各艇には順番に１〜６の番号（艇番) が割りふられる。そのため、同じ艇番が１着と２着にくることはないので、例えば「４−４−６」のような買い目に投票するときにはエラーとなる。
【００４６】
購入者が投票するまでの過程は大きく分けると以下のようになる。
▲１▼本人であることの確認（認証）  ［図４参照]
▲２▼投票したいレースが開催される予定の競艇場（場) の選択  ［図５参照]
▲３▼投票したい投票券の記入  ［図６参照]
▲４▼記入した投票内容の確認および投票券の投票  ［図７参照]
▲５▼投票した投票券の内容確認  ［図８参照]
【００４７】
これをインターネットホームページの遷移として考えると、購入者は、投票券を投票するまでに以下の５画面を順に遷移することになる。
画面１（図４参照)   認証画面（認証をおこなう）
画面２（図５参照)   場選択画面（" 場" を選択する）
画面３（図６参照)   投票入力画面（投票したい投票券を記入する）
画面４（図７参照)   投票内容確認・投票画面（記入した投票内容を確認し、投票する）
画面５（図８参照）  投票確認画面（投票できたか確認する)
【００４８】
本発明は、購入者が「投票したい投票券の選択」（画面３）をするときの操作性向上を目的としている。したがって、以下、画面３での投票手順を詳しく説明する。
【００４９】
図９は、本発明の実施例に係る画面３を説明するための図である。上記画面３のなかで投票券を選択するまでには以下の６つの操作を行う必要がある。
操作１０  レース番号を選択する。
操作２０  勝式を選択する。
操作３０  投票したい組番を選択する。
操作４０  購入金額を入力する。
操作５０  " 投票フォームに記入" ボタンを選択して投票フォームに投票内容（レース番号、勝式、購入金額等）を記入する。（これは購入者が自分の投票した投票券を確認できるようにした機能である。）
操作６０  " 投票入力完了" ボタンを選択し、上記画面４に移り投票する。
【００５０】
本発明は、操作２０における勝式選択において、連勝式（２連勝単式、２連勝複式、３連勝単式、３連勝複式、拡大２連勝複式）が選択された場合に適用される。単勝、および複勝は、選択した１艇が１着、または１着もしくは２着で入着することを予想するものであり、本発明の適用範囲外である。
【００５１】
以下、３連勝単式の例を説明する。３連勝単式は、買い目が１２０通りと多いため、購入者は、買い目を多くすることが一般である。仮に、１点投票毎に投票選択エリアの選択が解除される方式をとると、５点買いでは１５回、番号を選択しなければならない。そこで、１点投票毎に選択を解除しない方式が望まれることになる。
【００５２】
一方、ゾロ目投票によるエラーも防止しなければならない。そこで、従来は、投票選択エリア１〜３内で、同一の番号が選択できないようにしていた。
【００５３】
これに対し、本発明は、同一の番号を選択することはできるが、直近に選択した選択エリアの選択のみを残し、先に選択された選択エリアの当該番号の選択を解除することとした。以下、具体的に説明する。図１０〜図１２は、本発明の実施例に係る操作３０を説明するための図である。上記の操作３０において、図１０を参照して、「２−４−６」の投票券を投票し、その後裏目を投票する例を説明する。ここで、「２−４−６」は、１着に２号艇、2 着に４号艇、３着に６号艇を選んだことを意味している。
【００５４】
「２−４−６」の裏目は、「４−２−６」または「２−６−４」である。「４−２−６」に投票するには、投票選択エリア１のラジオボタン" ４" を選択する必要がある。このとき、「４−４−６」の買い目に投票するという行為はエラーとして処理されてしまうため、図１１に示すように投票選択エリア２のラジオボタン”４" は解除される。最後に、図１２に示すように投票選択エリア２のラジオボタン”２" を選択する。その後、操作４０以降を実行し、投票を完了する。
【００５５】
なお、本発明に係る連勝単式投票方法は、コンピュータにプログラムを実行させることにより、実現可能である。当該プログラムは、光記録媒体、磁気記録媒体、光磁気記録媒体または半導体記録媒体に記録されて提供される。また、プログラム提供サーバからＦＴＰにより各端末にダウンロードしてもよい。
【００５６】
なお、上述した実施の形態は、本発明の好適な実施の形態の一例を示すものであり、本発明はそれに限定されることなく、その要旨を逸脱しない範囲内において、種々変形実施が可能である。
【００５７】
例えば、本発明は、連勝単式における裏目購入の際に最も効果を奏する発明であるが、連勝複式にも適用可能である。例えば、３枠を中心として「１−３」、「３−４」に投票したい場合、「１−３」に投票した後、通常の感覚通り左の投票選択エリアから３を選択することができる。
【００５８】
【発明の効果】
以上の説明から明らかなように、以前は図１０に示すように投票したい番号を選択した後に裏目の投票を試みたとき、図１３に示すように他の投票選択エリアで同じ番号を選択することができなかった。上記の問題点を解決する本発明は、投票選択エリア内のラジオボックスに、「他の投票選択エリアで同じ番号のラジオボックスが選択された場合には自投票選択エリアの同じ番号のラジオボックスの選択をはずす」という機能を持たせることにより、裏目を購入する際の操作性を向上させることができる。
【００５９】
また、発売していないゾロ目に投票することがなくなり、投票エラーをなくすことができる。さらに、連勝複式においても、番号選択の際の操作上の制約が減り、操作性を向上させることができる。
【図面の簡単な説明】
【図１】本発明の実施の形態に係る連勝式投票端末の属する投票システムの構成を示すブロック図である。
【図２】第１の実施の形態における連勝式投票方法を説明するためのフローチャートである。
【図３】第２の実施の形態における連勝式投票方法を説明するためのフローチャートである。
【図４】本発明の実施例に係る認証画面の一例を示す図である。
【図５】本発明の実施例に係る場選択画面の一例を示す図である。
【図６】本発明の実施例に係る投票入力画面の一例を示す図である。
【図７】本発明の実施例に係る投票内容確認画面・投票画面の一例を示す図である。
【図８】本発明の実施例に係る投票確認画面の一例を示す図である。
【図９】本発明の実施例に係る画面３を説明するための図である。
【図１０】本発明の実施例に係る操作３０を説明するための図である。
【図１１】本発明の実施例に係る操作３０を説明するための図である。
【図１２】本発明の実施例に係る操作３０を説明するための図である。
【図１３】従来技術における裏目を購入する場合の手順を説明するための図である。
【図１４】従来技術における裏目を購入する場合の手順を説明するための図である。
【符号の説明】
１００〜ｎ  投票端末
２００  インターネット
３００  投票サーバ
【図１】
0003707402.tif 000002
【図２】
0003707402.tif 000003
【図３】
0003707402.tif 000004
【図４】
0003707402.tif 000005
【図５】
0003707402.tif 000006
【図６】
0003707402.tif 000007
【図７】
0003707402.tif 000008
【図８】
0003707402.tif 000009
【図９】
0003707402.tif 000010
【図１０】
0003707402.tif 000011
【図１１】
0003707402.tif 000012
【図１２】
0003707402.tif 000013
【図１３】
0003707402.tif 000014
【図１４】
0003707402.tif 000015